(57)【要約】【課題】モーターの回転による振動がケーシングを把持する部分に伝わりにくい、使用者に不快感を与えることがない構造とし、防水対策は万全であり、便器の開口部の段差部分を清掃する際に対象位置の視認容易で作業がやりやすく、ブラシ部とケーシングとの着脱も容易に行なえ、ブラシを傷めずに保管もできる。【解決手段】ケーシング１の外面と、ブラシ部２の嵌合部２ｂの内面とが、弾性材で形成したＯリング４ａを介して接する。ブラシ部２の嵌合部２ｂとブラシ２ａとの間には径を細くした部分２ｃを形成する。ケーシング１とブラシ部２との着脱構造はバヨネット構造７を用いる。ブラシ部２の嵌合部２ｂは、使用者が着脱時、手で握るに充分な長さを備える。ケーシング１にブラシ部２を取り付けた垂直状態で収納可能な置き台３を設け、収納時ブラシ２ａ先端が置き台の底面に接しない高さに段差部３ｄを形成、ここにケーシング１側の段差部Ｄを引っ掛けて保持収納する。【選択図】    図１
2005087680.tif 000002
【特許請求の範囲】
【請求項１】
先端寄りには、偏心ウエイトを回転軸に取り付けたモーターを収容し、後端寄りを、使用者が握る把持部とした筒状のケーシングと、
前記ケーシング先端に対し着脱可能とするための筒状の嵌合部を後端に備え、先端には清掃用のブラシを備えるブラシ部と、からなり、
前記ケーシングの先端に前記ブラシ部を装着する場合、前記ケーシングの外面と、前記ブラシ部の嵌合部の内面とが、弾性材で形成したＯリングを介して接するものであることを特徴とする電動トイレブラシ。
【請求項２】
先端寄りには、偏心ウエイトを回転軸に取り付けたモーターを収容し、後端寄りを、使用者が握る把持部とした筒状のケーシングと、
前記ケーシング先端に対し着脱可能とするための筒状の嵌合部を後端に備え、先端には清掃用のブラシを備えるブラシ部と、からなり、
前記ブラシ部の嵌合部とブラシとの間には径を細くした部分を形成したことを特徴とする電動トイレブラシ。
【請求項３】
先端寄りには、偏心ウエイトを回転軸に取り付けたモーターを収容し、後端寄りを、使用者が握る把持部とした筒状のケーシングと、
前記ケーシング先端に対し着脱可能とするための筒状の嵌合部を後端に備え、先端には清掃用のブラシを備えるブラシ部と、からなり、
前記ケーシングと前記ブラシ部との着脱構造はバヨネット機構を用いたことを特徴とする電動トイレブラシ。
【請求項４】
先端寄りには、偏心ウエイトを回転軸に取り付けたモーターを収容し、後端寄りを、使用者が握る把持部とした筒状のケーシングと、
前記ケーシング先端に対し着脱可能とするための筒状の嵌合部を後端に備え、先端には清掃用のブラシを備えるブラシ部と、からなり、
前記ブラシ部の、前記ケーシングに対する着脱部分は、使用者が着脱時、把持するに充分な長さを備えて構成することを特徴とする電動トイレブラシ。
【請求項５】
先端寄りには、偏心ウエイトを回転軸に取り付けたモーターを収容し、後端寄りを、使用者が握る把持部とした筒状のケーシングと、
前記ケーシング先端に対し着脱可能とするための筒状の嵌合部を後端に備え、先端には清掃用のブラシを備えるブラシ部と、
前記ケーシングに前記ブラシ部を取り付け、垂直に立てた状態で収納可能な置き台と、からなり、
前記ケーシングと前記ブラシ部との両端面が接する部分近傍にはケーシング後端寄り側を大径とした段差部を設け、
前記置き台の上部には、前記ケーシング側を大径とした段差部を引っ掛けることができる保持部を形成し、この部分で保持して収納することを特徴とする電動トイレブラシ。
【請求項６】
置き台の高さは、置き台の保持部に電動トイレブラシの段差部を引っ掛けて保持し収納した場合、ブラシ先端が置き台の底面に接することがない高さとすることを特徴とする請求項５に記載の電動トイレブラシ。
【発明の詳細な説明】
【技術分野】
【０００１】  本発明は、トイレや浴室等の清掃に用い、洗浄用のブラシを備える電動トイレブラシに関する。
【背景技術】
【０００２】  従来、このようなブラシを備える電動トイレブラシについては、種々提案されているが、その中に、筒状の柄の中に収容したモーターの回転軸にアンバランスのウエイトを取り付け、モーターの回転によって発生する振動をブラシ部に伝える構造の電動トイレブラシがある。このような構造の例としては、例えば、図４に示すようなものがある。【０００３】  この例は、先端部を閉鎖したケーシング１１の中に、偏心ウエイトを回転軸に取り付けたモーターを収容し、このモーターの回転によって発生する振動をブラシ部１２に伝え、ブラシ部１２のブラシ１２ａが振動して便器などを清掃することができる構造となっている。そして、このブラシ部１２はケーシング１１に対し同図のＡ部において、ネジ構造あるいは爪と溝とを係合させる構造によって着脱可能とし、ブラシ消耗に伴うブラシ部１２のみの交換を可能としてある。
【発明の開示】
【発明が解決しょうとする課題】
【０００４】  このような構造の電動トイレブラシにおいては、モーターの回転によって発生する振動がブラシ部１２に伝達されると同時に、振動がケーシング１１の手で把持する部分にも伝達され使用者に不快感を与える。そこで、図示はしていないが、ケーシング１１を分割し、モーターを収容した部分と把持する部分とに分け、両者を蛇腹状の部分で結合することによって振動が把持部分に伝達されるのを防ぐ工夫も考えられるが、電動トイレブラシの目的からして、防水対応の必要があり、該部分の防水対策や、該部分にモーターへの電線配置は困難である。
【０００５】  また、モーターによる電動式であるために、モーターを収容するケーシング１１は太めなものとなり、従ってブラシ部１２を着脱する部分も太めとなるので、便器の開口部の段差部分を清掃する際など、対象位置が見えにくく、作業が難しいものであった。
【０００６】  また、ブラシ部１２をケーシング１１に対し図４のＡ部において着脱する際、両者を両手でそれぞれ握って回転させる必要がある。このとき、ブラシ部１２を握る部分は同図でわかるように、短く設定されているので、握りにくく力をかけにくいものであるので、着脱が容易とは言えないものであった。
【０００７】  本発明は、このような従来の電動トイレブラシを、モーターの回転による振動がケーシングを把持する部分に伝わりにくい、使用者に不快感を与えることがない構造とし、しかも防水対策は万全であり、また、便器の開口部の段差部分を清掃する際にも、対象位置の視認を容易として作業をやりやすく、さらに、ブラシ部とケーシングとの着脱も容易に行なえ、さらにまた、ブラシを傷めずに保管することができるものとすることを目的としている。
【課題を解決するための手段】
【０００８】  この課題を解決するために本発明は、振動する本体側のケーシングの外周面と、これに嵌め込んで使用するブラシ部の嵌合部内面との間の複数箇所に、弾性材で形成したＯリングを介装してモーターの回転による振動がケーシングを把持する部分に伝わりにくい構造としたものである。これにより、使用感の優れた電動トイレブラシが得られる。そしてこのＯリングは防水機能も兼ね備えるので低コストで二つの課題を解決することができる。
【０００９】  ブラシ部の嵌合部と、その先のブラシの部分との間には、径を細くした「くびれ」を設けるようにする。これにより、清掃対象の凹んだ部分、例えば便器の上端開口の縁の屈曲したような箇所でも、「くびれ」を利用してブラシを屈曲部の内角部分に達せしめ、対象箇所を目視しながら清掃することができるものとなる。
【００１０】  また、前記の「くびれ」はモーターの回転による振動がブラシに伝達しやすくなるとともにケーシングを把持する部分に伝わりにくくする作用もあるので、使用感の優れた電動トイレブラシが得られる。
【００１１】  本体側のケーシングと、これに着脱するブラシ部との着脱機構には、バヨネット機構を利用する。これにより、単なるねじ込みや凹凸の爪止めにより係止させているものに比し、格段に、位置決めが容易であり、装着の「しっかり感」を得ることができる。
【００１２】  ブラシ部をケーシングに装着する際に手で把持するブラシ部の長さを、片手で握るのに充分な長さとしておく。このようにすることで、前記のバヨネット機構とともに、ブラシ部の着脱操作を容易確実なものとすることができる。
【００１３】  ケーシングにブラシ部を取り付け、垂直に立てた状態で収納可能な置き台を設けるようにする。そして、ケーシングとブラシ部との両端面が接する部分近傍にはケーシング後端寄り側を大径とした段差部を設ける。さらに置き台の上部には、この段差部を引っ掛けることができる浅い棚状の保持部を形成し、この部分で保持して収納することにより、収納しやすい電動トイレブラシとすることができる。
【００１４】  そして、置き台の高さは、置き台の保持部に電動トイレブラシの段差部を引っ掛けて保持し収納した場合、ブラシ先端が置き台の底面に接することがない高さとする。このようにすることで、ブラシの水切りがよく、また、比較的重い電動型の電動トイレブラシの、収納中におけるブラシの損傷を防ぐことができる。
【発明の効果】
【００１５】  本発明によれば、振動する本体側のケーシングの外周面と、これに嵌め込んで使用するブラシ部の嵌合部内面との間の複数箇所に、弾性材で形成したＯリングを介装してモーターの回転による振動がケーシングを把持する部分に伝わりにくい構造としたので、使用感の優れた電動トイレブラシが得られ、このＯリングは防水機能も兼ね備えるので低コストで防振、防水が行なえるという有利な効果が得られる。
【００１６】  また、ブラシ部の嵌合部と、その先のブラシの部分との間には、径を細くした「くびれ」を設けるようにしたので、清掃対象の凹んだ部分、例えば便器の上端開口の縁の屈曲したような箇所でも、「くびれ」を利用してブラシを屈曲部の内角部分に達せしめ、対象箇所を目視しながら清掃することができるものとなる有利な効果が得られる。
【００１７】  また、前記の「くびれ亅はモーターの回転による振動がブラシに伝達しやすくなるとともにケーシングを把持する部分に伝わりにくくする作用もあるので、使用感の優れた電動トイレブラシとなる有利な効果が得られる。
【００１８】  さらに、本体側のケーシングと、これに着脱するブラシ部との着脱機構には、バヨネット機構を利用するようにしたので、単なるねじ込みや凹凸の爪止めにより係止させているものに比し、格段に、位置決めが容易であり、装着の「しっかり感」を得ることができる。
【００１９】  また、ブラシ部をケーシングに装着する際に手で把持するブラシ部の長さを、片手で握るのに充分な長さとしておく。このようにすることで、前記のバヨネット機構とともに、ブラシ部の着脱操作を容易確実なものとする有利な効果が得られる。
【００２０】  さらに、ケーシングにブラシ部を取り付け、垂直に立てた状態で収納可能な置き台を設けるようにする。そして、ケーシングとブラシ部との両端面が接する部分近傍にはケーシング後端寄り側を大径とした段差部を設け、置き台の上部には、この段差部を引っ掛けることができる浅い棚状の保持部を形成し、この部分で保持して収納するようにしたので、収納しやすい電動トイレブラシとすることができる。
【００２１】  そして、置き台の高さは、置き台の保持部に電動トイレブラシの段差部を引っ掛けて保持し収納した場合、ブラシ先端が置き台の底面に接することがない高さとする。このようにすることで、ブラシの水切りがよく、また、比較的重い電動型の電動トイレブラシの、収納中におけるブラシの損傷を防ぐことができるという有利な効果が得られる。
【発明を実施するための最良の形態】
【００２２】  本発明の請求項１に記載の発明は、先端寄りには、偏心ウエイトを回転軸に取り付けたモーターを収容し、後端寄りを、使用者が握る把持部とした筒状のケーシングと、前記ケーシング先端に対し着脱可能とするための筒状の嵌合部を後端に備え、先端には清掃用のブラシを備えるブラシ部と、からなり、前記ケーシングの先端に前記ブラシ部を装着する場合、ケーシングの外面と、前記ブラシ部の嵌合部の内面とが、弾性材で形成したＯリングを介して接するものであることを特徴とする電動トイレブラシとしたものであり、振動がケーシング側の手で把持する部分に伝達されにくく、使用感がよいという作用、及び、防水機能が向上するという作用を有する。【００２３】  請求項２に記載の発明は、先端寄りには、偏心ウエイトを回転軸に取り付けたモーターを収容し、後端寄りを、使用者が握る把持部とした筒状のケーシングと、前記ケーシング先端に対し着脱可能とするための筒状の嵌合部を後端に備え、先端には清掃用のブラシを備えるブラシ部と、からなり、前記ブラシ部の嵌合部とブラシとの間には径を細くした部分を形成したことを特徴とする電動トイレブラシとしたものであり、清掃対象の凹んだ部分、例えば便器の上端開口の縁の屈曲したような箇所でも、径を細くした「くびれ」を利用してブラシを屈曲部の内角部分に達せしめ、対象箇所を目視しながら清掃することができるものという作用を有する。また、前記の「くびれ」はモーターの回転による振動がブラシには伝わりやすく、ケーシングを把持する部分には伝わりにくくする作用があるので、使用感の優れた電動トイレブラシが得られる。【００２４】  請求項３に記載の発明は、先端寄りには、偏心ウエイトを回転軸に取り付けたモーターを収容し、後端寄りを、使用者が握る把持部とした筒状のケーシングと、前記ケーシング先端に対し着脱可能とするための筒状の嵌合部を後端に備え、先端には清掃用のブラシを備えるブラシ部と、からなり、前記ケーシングと前記ブラシ部との着脱構造はバヨネット機構を用いたことを特徴とする電動トイレブラシとしたものであり、位置決めが容易であり、装着の「しっかり感」を得ることができるという作用を有する。【００２５】  請求項４に記載の発明は、先端寄りには、偏心ウエイトを回転軸に取り付けたモーターを収容し、後端寄りを、使用者が握る把持部とした筒状のケーシングと、前記ケーシング先端に対し着脱可能とするための筒状の嵌合部を後端に備え、先端には清掃用のブラシを備えるブラシ部と、からなり、前記ブラシ部の、前記ケーシングに対する着脱部分は、使用者が着脱時、把持するに充分な長さを備えて構成することを特徴とする電動トイレブラシとしたものであり、ブラシ部の着脱操作を容易確実なものとすることができる。【００２６】  請求項５に記載の発明は、先端寄りには、偏心ウエイトを回転軸に取り付けたモーターを収容し、後端寄りを、使用者が握る把持部とした筒状のケーシングと、前記ケーシング先端に対し着脱可能とするための筒状の嵌合部を後端に備え、先端には清掃用のブラシを備えるブラシ部と、前記ケーシングに前記ブラシ部を取り付け、垂直に立てた状態で収納可能な置き台と、からなり、前記ケーシングと前記ブラシ部��の両端面が接する部分近傍にはケーシング後端寄り側を大径とした段差部を設け、前記置き台の上部には、前記ケーシング側を大径とした段差部を引っ掛けることができる保持部を形成し、この部分で保持して収納することを特徴とする電動トイレブラシとしたものであり、収納しやすい電動トイレブラシとすることができる。【００２７】  請求項６に記載の発明は、前項において、置き台の高さは、置き台の保持部に電動トイレブラシの段差部を引っ掛けて保持し収納した場合、ブラシ先端が置き台の底面に接することがない高さとすることを特徴とする電動トイレブラシとしたものであり、ブラシの水切りがよく、また、比較的重い電動型の電動トイレブラシの、収納中におけるブラシの損傷を防ぐことができるものとする。
【実施例】
【００２８】  図１は一部を断面とした全体図、図２は外観図を示し、図１において、１はケーシングであって電動トイレブラシの本体を構成するものであり、筒状の成形品で、後部の、使用者が作業時に握りやすい形状とした把持部１ａ、中間の中継部１ｂ、そして先端のモーター保持部１ｃとからなり、把持部１ａ先端には中継部１ｂが嵌め込まれてねじ１ｎで固定され、中継部１ｂ先端にはモーター保持部１ｃが嵌め込まれて接合部で接着等の手段で相互に固定される。この構成はこの例に限定されるものではなく、一体としてもよい。また、図示は省略したが、各部を殻状に左右２体として構成し、内部に部品を取り付けた後、閉じるようにしてもよい。【００２９】  把持部１ａ内部は電池ケースとして後述のモーターを駆動する電池Ｂが収容される。図２における１ｐは電池Ｂ交換のための着脱可能な電池蓋である。ＳＷは把持部１ａの外周面の適所に配置したスイッチ操作部であり、電池Ｂとモーターとを接続する回路をオン、オフ操作する。５はモーター保持部１ｃ内に固定されたモーターである。モーター５の回転軸５ａには偏心ウエイト５ｂが取り付けられて、軸回転時、振動を発生させる。モーター保持部１ｃと把持部１ａとは前記したように中継部１ｂによって結合されており、全体として一つの筒状のものである。なお、モーター保持部１ｃ先端はモーター保持部蓋１ｈにより閉鎖されており、その他の接合部も防水対応として構成されている。【００３０】  ブラシ部２は先端に毛やスポンジ等で構成したブラシ２ａを固定して備え、後端は筒状の嵌合部２ｂとして形成される。筒状の嵌合部２ｂは、その内径がケーシング１の、中継部１ｂとモーター保持部１ｃとで形成される外径部に適度の嵌合度で嵌め込めるような寸法形状に設定される。そして、ケーシング１の中継部１ｂとモーター保持部１ｃとで形成される外径面の所定位置にはリング状に外周を一周するリング状の溝が形成されており、ここに嵌装した弾性材で形成したＯリング４ａ、４ｂはケーシング１の中継部１ｂとモーター保持部１ｃとで形成される外径面と、ブラシ部２の嵌合部２ｂの内径面との間などに介在して、両者の間の防水対応機能を果たす。詳細は後述する。【００３１】  ブラシ部２のブラシ２ａと嵌合部２ｂとの中間には、小径部２ｃを設けてある。この小径部２ｃは、後述するが、ブラシ使用時、対象物の段差や屈曲部分を清掃する際、対象面を目視しやすくし、また、振動が把持部１ａに伝達されるのを減少させる機能がある。【００３２】  ７はバヨネット機構である。バヨネット機構そのものについては公知の技術であるので、詳細は省略するが、相互に回動させて嵌め込むものの一方には溝、他方には突起を設け、溝の一部を軸方向に開口させておき、ここから突起を導入して回動させ、突起が溝の終点位置まで達した状態でロックする構造を、ケーシング１とブラシ部２とに設けることによって、両者を容易、確実に着脱することができる。【００３３】  Ｄは段差部である。ブラシ部２の嵌合部２ｂの開口側の端部を、フランジ状にやや大径として段差部としてある。これを利用して後述の置き台３に、電動トイレブラシを保持させる。詳細は後述する。【００３４】  スイッチ操作部ＳＷを操作し、電���をオンとすれば、電線Ｗを経て電池Ｂがモーター５に電源を供給し、偏心ウエイト５ｂを取り付けた軸５ａが所定回転数で回転するので、ケーシング１が振動する。振動はブラシ部２のブラシ２ａに伝達され、ブラシ２ａによって清掃対象面をクリーニングすることができる。【００３５】  便器の開口部の段差部分を清掃する際など、対象位置が見えにくく、作業が難しい対象位置であっても、ブラシ部２のブラシ２ａと嵌合部２ｂとの中間には、小径部２ｃを設けてあるので、ブラシ使用時、対象物の段差や屈曲部分を清掃する際、対象面を目視しやすくする。【００３６】  振動はブラシ部２に向け伝達されるのが望ましく、ケーシング１の把持部１ａには振動が達しないことが望ましい。そこで本実施の形態では、Ｏリング４ａを介装することによって、把持部１ａへの振動の影響を減少させ、使用者の不快感を防いでいる。また、ブラシ部２のブラシ２ａと嵌合部２ｂとの中間の小径部２ｃも振動が把持部１ａに伝達されるのを減少させる機能がある。このＯリング４ａは振動対策だけでなく、防水機能の向上にも効果がある。【００３７】  なお、本実施の形態では、振動対策を主目的としたＯリング４ａは、モーター保持部１ｃのモーター配置位置付近、中継部１ｂの中間付近、そして中継部１ｂの後端付近の３箇所に配置した。また、防水対策を主目的としたＯリング４ｂはモーター保持部１ｃの前後端にそれぞれ配置した。【００３８】  ブラシ部２自体の清掃や、消耗による交換時など、該部分を取り外すには、ブラシ部２の嵌合部２ｂの外周を手で掴み、他方の手でバヨネット機構７を操作して回動させ、取り外す。取り付け時は逆の操作を行なう。ブラシ部２の嵌合部２ｂの長さは手で握るのに充分な長さを備えているので、掴みやすく、さらにブラシ部２のケーシング１への組み付けはバヨネット機構を用いているので、単なるねじ込みや凹凸の爪止めにより係止させているものに比し、格段に、位置決めが容易であり、装着の「しっかり感」を得ることができる。【００３９】  なお、ブラシ部２の嵌合部２ｂはバヨネット操作時の把持のための長さ確保の他に通常時の清掃における内側への水の浸入を防ぐ長さになっており、その長さは現存する便器の大部分をカバーできる長さとなっていて、水を流している状態でもその長さまで水が達することがない。【００４０】  また、ブラシ部２のくびれた小径部２ｃは対象箇所を目視しながら清掃を可能にし、ブラシ振動を効率よく伝達するために設けたものであるが、本来はブラシが対象箇所に到達しなければならず本装置のようにモーターを使用しアンバランスウエイトをつけて振動させる場合にモーター付近の径が大きくなってしまい、そのため便器内部の対象箇所にブラシが届かなくなるような場合が、通常の手動式のブラシより多く発生することになる。とくに水溜りの狭い部分についてそうなる。そこで清掃可能な範囲が狭まるのを防ぐために小径部２ｃを設けたものであり、この部分による振動力低下は実験の結果発生していない。【００４１】  重ねて言えば、本装置が便器に当たって清掃範囲を制限されるのではなく、ブラシ先端がこれ以上入り込めない所まで入っても出来るだけ本装置が便器に当たらないようにして清掃可能範囲を手��式ブラシと遜色ないレベルにするために小径部２ｃがくびれとして存在するものである。【００４２】  図３は電動トイレブラシを置き台３に収納した状態の側面図である。置き台３は前方を開口した上面視Ｕ字型であり、そして正面及び側面視ではスカート状に下方を拡張した構造であって、樹脂等で形成される。前面開口は蓋３ａで閉じられるが、蓋３ａは下方でほぼ直角に水平かつ奥行き方向に折り曲げられて受皿としての底面３ａ１を形成し、また、この屈曲部付近で軸３ｂにより置き台３に対し軸支されて回動可能となっており、図３の矢印Ｒ方向に回動させることによって前面開口が露出する構造である。【００４３】  置き台３の上部には棚状の段差部３ｄが上面視Ｕ字状に設けてあり、この寸法は電動トイレブラシの段差部Ｄ、すなわち、ブラシ部２の嵌合部２ｂの開口側の端部を、フランジ状にやや大径とした段差部Ｄが載置可能なものとしてある。従って、この部分に電動トイレブラシを引っ掛ければ保持されて保管することができる。【００４４】  段差部３ｄに電動トイレブラシ側の段差部Ｄを引っ掛けて保持させた状態では、ブラシ部２のブラシ２ａの先端は、図３のように、置き台３の蓋３ａの底面３ａ１とは間隔Ｓが維持されるように設定されている。従って、保管状態でブラシ２ａ先端が底面３ａ１面に接することがないので、水切りされ、衛生的であり、重い電動トイレブラシであってもブラシ先端を変形させたり、傷めたりすることがない。また、受皿部分が汚れていてもブラシ先端が触れないので、この点でも衛生的である。【００４５】  置き台から電動トイレブラシを取り出す際は、把持部１ａを掴んで手前に移動させれば、蓋３ａが回動して開くのに伴い回動する底面３ａ１がブラシ２ａを持ち上げるので、取り出しやすい。【００４６】  なお、以上の説明では、モーターを駆動する電源は乾電池等の電池としたが、商用電源を用いるようにすることもできる。また、充電式電池（パック）を用いてもよく、この場合は、乾電池をわざわざ購入しなくてもいいので経済的であり、電源コードの取り回しの煩わしさが解消され、コードレスによる快適な作業を行なうことができ、便利性、商品のアピール性で有効な手段といえる。【００４７】  また、ケーシング１は３つの部分からなるように説明したが、一体あるいは２体以上の複数体で構成して支障はない。【００４８】  また、防振、防水対応のＯリングの位置と個数も前記実施の形態に記載したものに限定されるものではない。
【図面の簡単な説明】
【００４９】
【図１】    本発明の電動トイレブラシの一部を断面とした側面図である。
【図２】    本発明の電動トイレブラシの側面外観図である。
【図３】    本発明の電動トイレブラシを置き台にセットした状態の側面外観図である。
【図４】    従来の電動トイレブラシの外観斜視図である。
【符号の説明】
【００５０】        １          ケーシング
１ａ        把持部
１ｂ        中継部
１ｃ        モーター保持部
２          ブラシ部
２ａ        ブラシ
２ｂ        嵌合部
２ｃ        小径部
３          置き台
４ａ、４ｂ  Ｏリング
５          モーター
７          バヨネット機構
【図１】
2005087680.tif 000003
【図２】
2005087680.tif 000004
【図３】
2005087680.tif 000005
【図４】
2005087680.tif 000006